(57)【要約】【課題】車両用シートベルト装置において、シートベルトの動きによって乗員にＥＴＣカードの挿入忘れを報知することにある。【解決手段】シートベルト制御手段（１２）は、ＥＴＣ車載器（１）が有料道路の料金所の手前に設置されたアンテナ（４）と通信した時に、有効なＥＴＣカード（６）がＥＴＣ車載器（１）に正しく挿入されているか否かを示す状態情報をＥＴＣ車載器（１）から取得し、シートベルト装着状態検出手段（１７、１８）によりシートベルト（８、９）が装着されていることが検出され、且つ前記状態情報から有効なＥＴＣカード（６）がＥＴＣ車載器（１）に正しく挿入されていないと判断された時には、シートベルト（８、９）を巻き取ることによってＥＴＣカード（６）の未挿入を乗員に報知する。【選択図】図１
2012011945.tif 000002
【特許請求の範囲】
【請求項１】
乗員のシートベルトを巻き取るモータと、このモータを駆動することにより前記シートベルトを巻き取って乗員を拘束するシートベルト制御手段とを備えた車両用シートベルト装置において、前記シートベルトが装着されているか否かを検出するシートベルト装着状態検出手段を設け、前記シートベルト制御手段は、ＥＴＣ車載器が有料道路の料金所の手前に設置されたアンテナと通信した時に、有効なＥＴＣカードが前記ＥＴＣ車載器に正しく挿入されているか否かを示す状態情報を前記ＥＴＣ車載器から取得し、前記シートベルト装着状態検出手段により前記シートベルトが装着されていることが検出され且つ前記状態情報から有効なＥＴＣカードが前記ＥＴＣ車載器に正しく挿入されていないと判断した時には、前記シートベルトを巻き取ることによってＥＴＣカードの未挿入を乗員に報知することを特徴とする車両用シートベルト装置。
【請求項２】
前記シートベルト制御手段は、車速を検出する車速検出手段に連絡し、前記シートベルトの巻き取り後に、前記車速検出手段により検出された車速が予め設定された設定値以下になった時に、前記シートベルトの巻き取りを解除することを特徴とする請求項１に記載の車両用シートベルト装置。
【発明の詳細な説明】
【技術分野】
【０００１】
この発明は、車両用シートベルト装置に係り、特にＥＴＣカードの挿入忘れを防止する車両用シートベルト装置に関する。
【背景技術】
【０００２】
ＥＴＣ車載器を搭載した車両においては、ＥＴＣカードのＥＴＣ車載器への挿入忘れ防止対策として、ＥＴＣ車載器がＥＴＣゲートの手前でＥＴＣカード未挿入通知アンテナからの信号を受け、乗員に対して音声でＥＴＣカードの未挿入をアナウンスするのが一般的である。
【先行技術文献】
【特許文献】
【０００３】
【特許文献１】特開２００８−２４０４３号公報
【特許文献２】特開２００５−２４７２１１号公報
【特許文献３】特開２００５−１１２０３８号公報
【０００４】
特許文献１に係る車両のシートベルト装置は、車両の運転状態の信号を受けてモータへの所定周期で短時間通電することにより、ベルトリールや動力伝達機構の廻りに所定の作動音を発生させるものである。
特許文献２に係るシートベルト装置は、シートベルトの動きにより乗員に情報を伝達したり、乗員がシートベルトの駆動条件を設定したりするものである。
特許文献３に係る車両の乗員保護装置は、タイヤの空気圧が所定値以下になったことを示す信号が与えられた際に、モータによるシートベルトの巻き取り制御を、タイヤの空気圧が所定値を上回っている場合に対して、変化させるものである。
【発明の概要】
【発明が解決しようとする課題】
【０００５】
ところで、従来、乗員に対して音声でＥＴＣカードの未挿入をアナウンスする場合には、周囲の雑音や会話音等で聞き逃すおそれがあり、また、確実なＥＴＣカードの挿入忘れ防止にはならないことで懸念されていた。
また、モータの駆動によって巻き取られるシートベルトを流用して、車両不具合情報等を乗員に報知する技術では、ＥＴＣカードの未挿入に対してアナウンスするものは存在していない状況であった。
【０００６】
そこで、この発明の目的は、シートベルトの動きによって乗員にＥＴＣカードの挿入忘れを報知し、有効なＥＴＣカードがＥＴＣ車載器に正しく挿入されていないことを乗員に確実に伝達できる車両用シートベルト装置を提供することにある。
【課題を解決するための手段】
【０００７】
この発明は、乗員のシートベルトを巻き取るモータと、このモータを駆動することにより前記シートベルトを巻き取って乗員を拘束するシートベルト制御手段とを備えた車両用シートベルト装置において、前記シートベルトが装着されているか否かを検出するシートベルト装着状態検出手段を設け、前記シートベルト制御手段は、ＥＴＣ車載器が有料道路の料金所の手前に設置されたアンテナと通信した時に、有効なＥＴＣカードが前記ＥＴＣ車載器に正しく挿入されているか否かを示す状態情報を前記ＥＴＣ車載器から取得し、前記シートベルト装着状態検出手段により前記シートベルトが装着されていることが検出され且つ前記状態情報から有効なＥＴＣカードが前記ＥＴＣ車載器に正しく挿入されていないと判断した時には、前記シートベルトを巻き取ることによってＥＴＣカードの未挿入を乗員に報知することを特徴とする。
【発明の効果】
【０００８】
この発明の車両用シートベルト装置は、シートベルトを巻き取ることにより、乗員にＥＴＣカードの挿入忘れを報知して確実なＥＴＣカードの挿入忘れ防止対策を図ることができる。
【図面の簡単な説明】
【０００９】
【図１】図１はシートベルトの巻き取り・巻き取り解除のフローチャートである。（実施例）
【図２】図２はシートベルトの巻き取り・巻き取り解除のタイムチャートである。（実施例）
【図３】図３は車両用シートベルト装置のシステム構成図である。（実施例）
【発明を実施するための形態】
【００１０】
この発明は、シートベルトの動きによって乗員にＥＴＣカードの挿入忘れを報知する目的を、有効なＥＴＣカードがＥＴＣ車載器に正しく挿入されていないと判断された時に、シートベルトを巻き取って実現するものである。
【実施例】
【００１１】
図１〜図３は、この発明の実施例を示すものである。
図３において、１は車両に搭載されるＥＴＣ車載器である。このＥＴＣ車載器１は、車載器用アンテナ２を備え、有料道路の料金所手前のＥＴＣゲートに設置された車両検出器３のゲート用アンテナ（ＥＴＣカード未挿入通知アンテナ）４と通信可能であって、また、カード用穴５にＥＴＣカード６を挿着・抜出させるものであり、さらに、ＥＴＣカード６の未挿入の外部出力機能を備える。
また、車両には、シートベルト装置７が搭載される。
このシートベルト装置７は、乗員のシートベルトとして、運転席シートベルト８と助手席シートベルト９とを備えるとともに、シートベルト８・９を巻き取り・巻き取り解除するモータとして、運転席モータ１０と助手席モータ１１とを備え、しかも、この運転席モータ１０及び助手席モータ１１に連絡したシートベルト制御手段１２を備えている。
運転席シートベルト８と助手席シートベルト９とは、車体に固定された運転席バックル受け具１３と助手席バックル受け具１４とに装着・離脱される運転席バックル１５と助手席バックル１６とを備えている。
また、シートベルト装置７は、シートベルト８・９が装着されているか否かを検出するシートベルト装着状態検出手段（バックルスイッチ）として、運転席シートベルト装着状態検出手段１７と助手席シートベルト装着状態検出手段１８とが設けられている。
【００１２】
シートベルト制御手段１２は、運転席モータ１０及び／又は助手席モータ１１を駆動することにより、運転席シートベルト８及び／又は助手席シートベルト９を巻き取って乗員を拘束するものである。
このシートベルト制御手段１２には、運転席シートベルト装着状態検出手段１７と助手席シートベルト装着状態検出手段１８とが連絡するとともに、車両情報としての車速を検出する車速検出手段１９が連絡し、さらに、音声でＥＴＣカード６の未挿入をアナウンスする音声発生手段２０が連絡している。
【００１３】
シートベルト制御手段１２は、ＥＴＣ車載器１が有料道路の料金所の手前に設置されたゲート用アンテナ（ＥＴＣカード未挿入通知アンテナ）４と通信した時に、有効なＥＴＣカード６がＥＴＣ車載器１に正しく挿入されているか否かを示す状態情報をＥＴＣ車載器１から取得し、シートベルト装着状態検出手段１７・１８によりシートベルト８・９が装着されていることが検出され、且つ前記状態情報から有効なＥＴＣカード６がＥＴＣ車載器１に正しく挿入されていないと判断した時には、シートベルト８・９を巻き取ることによってＥＴＣカード６の未挿入を乗員に報知する。
【００１４】
また、シートベルト制御手段１２は、シートベルト８・９の巻き取り後に、車速検出手段１９により検出された車速が予め設定された設定値Ｖ１以下になった時に、シートベルト８・９の巻き取りを解除する。
【００１５】
次に、シートベルトの巻き取り・巻き取り解除について、図１のフローチャートに基づいて説明する。なお、この図１においては、運転席を例示して説明し、助手席については、運転席の場合と同様に行われるので、ここでは、その説明を省略する。
図１に示すように、シートベルト制御手段１２のプログラムがスタートすると（ステップＡ０１）、先ず、ＥＴＣカード６の未挿入を受信したか否かを判断し（ステップＡ０２）する。このステップＡ０２がＮＯの場合には、この判断を継続する。
このステップＡ０２がＹＥＳで、ＥＴＣカード６が未挿入の場合には、運転席バックル１５が運転席バックル受け具１３に装着されて運転席シートベルト装着状態検出手段１７がオンか否か、つまり、運転席シートベルト８が装着されているか否かを判断する（ステップＡ０３）。
このステップＡ０３がＮＯで、運転席シートベルト８が装着されていない場合には、この判断を継続する。
このステップＡ０３がＹＥＳで、運転席シートベルト８が装着されている場合には、運転席モータ１０を駆動して運転席シートベルト８を巻き取りする（ステップＡ０４）。この場合、音声発生手段２０では、「ＥＴＣカードが未挿入」である旨を音声で運転者にアナウンスする。
これにより、有効なＥＴＣカード６がＥＴＣ車載器１に正しく挿入されていないことを運転者に報知するのに、音声と共に、運転席シートベルト８を巻き取ることによって報知することができる。
また、この場合、運転者への報知を目的としているので、運転者を拘束するほど、運転席シートベルト８を巻き取りせず、運転者にＥＴＣカード６の未挿入を報知しても、運転者がＥＴＣ車載器１にＥＴＣカード６を挿入しないままＥＴＣゲートを通過しようとした場合には、ＥＴＣゲートに衝接することになるので、衝突被害軽減用シートベルト装置として作動し、運転席シートベルト８を多く巻き取って運転者を拘束する。そして、衝突被害軽減用シートベルト装置としての機能を有する場合には、運転席シートベルト８だけではなく助手席シートベルト９をも巻き取って助手席の乗員を拘束する。
そして、車両情報としての車速が設定値Ｖ１以下（車速≦Ｖ１）か否かを判断する（ステップＡ０５）。このステップＡ０５がＮＯで、車速が設定値Ｖ１を超えている場合には、この判断を継続する。
上記の設定値Ｖ１は、その後、車両が停止すると判断される速度を意味し、例えば、約５ｋｍ／ｈである。車両が停止するということは、運転者がＥＴＣカード６の未挿入と報知されたことを確実に認識し、この後、ＥＴＣ車載器１にＥＴＣカード６を挿入する動作を行うと予想され、そして、車両が停止しているので、運転中によそ見をして他車両に接触することなく、ＥＴＣカード６の挿入を行うことが可能となる。
このステップＡ０５がＹＥＳで、車速が設定値Ｖ１以下の場合には、運転席モータ１０を駆動して運転席シートベルト８の巻き取りを解除し（ステップＡ０６）、プログラムをエンドとする（ステップＡ０７）。
なお、車速≦Ｖ１で、運転席シートベルト８の巻き取りを解除しているが、完全に車両が停止したことを検出してから運転席シートベルト８の巻き取りを解除することも可能である。
【００１６】
次いで、シートベルトの巻き取り・巻き取り解除について、図２のタイムチャートに基づいて説明する。
図２に示すように、車速が設定値Ｖ１を超えている車両の走行中において、ＥＴＣカード６の未挿入状態を受信すると（時間ｔ１）、運転席モータ１０を駆動して運転席シートベルト８を巻き取り、そして、所定期間（Ｓ１）経過した時に（時間ｔ２）、その運転席シートベルト８の巻き取りを停止する。
そして、ＥＴＣカード６の未挿入のままで、車速が設定値Ｖ１以下になった時に、運転席モータ１０を駆動して運転席シートベルト８の巻き取りを解除し（時間ｔ３）、所定期間（Ｓ２）経過した時に（時間ｔ４）、その運転席シートベルト８の巻き取りの解除を停止し、その後、車速が零（０）となる（時間ｔ５）。
【００１７】
この結果、シートベルト装着状態検出手段１７・１８により乗員のシートベルト８・９が装着されていることが検出され、且つ車両の状態情報から有効なＥＴＣカード６がＥＴＣ車載器１に正しく挿入されていないと判断された時には、シートベルト８・９を巻き取ることによってＥＴＣカード６の未挿入を乗員に報知する。
これにより、有効なＥＴＣカード６がＥＴＣ車載器１に正しく挿入されていないことを乗員に確実に伝達することができ、従って、車両がＥＴＣゲートに衝接したり、後続車が追突したりしないようにすることができ、しかも、追突被害軽減用シートベルト装置としての機能を持たすことが可能となり、新たな装置を追加する必要がなく、構成が簡単で、廉価にできる。
【００１８】
また、シートベルト８・９の巻き取り後に、車速検出手段１９により検出された車速が予め設定された設定値Ｖ１以下になった時に、シートベルト８・９の巻き取りを解除する。
このように、シートベルト８・９の巻き取り後、車速が予め設定された設定値Ｖ１以下になった時に、シートベルト８・９の巻き取りを解除することから、乗員は有効なＥＴＣカード６がＥＴＣ車載器１に正しく挿入されていないことを確実に認識したと判断することができ、また、車速が設定値Ｖ１以下に低下した状態とは、車両が略停止した状態であるため、他車両に衝突するおそれはないので、乗員がＥＴＣ車載器１にＥＴＣカード６を挿入することができる。
【００１９】
なお、この発明においては、カメラを用いた車両の画像処理コントローラがＥＴＣゲートを認識した場合に、シートベルト制御手段がＥＴＣ車載器からＥＴＣカードの未挿入を認識してから、モータによって巻き取ったシートベルトにて乗員に報知することも可能である。この場合、出ロゲート等でゲート用アンテナ（ＥＴＣカード未挿入通知アンテナ）が未設置の場合でも、上述と同様の効果が得られ、また、ＥＴＣカード未挿入情報は、ナビゲーションシステム等の他の外部端末を介して、ＣＡＮ通信で入手することも可能である。
【産業上の利用可能性】
【００２０】
この発明のシートベルト装置は、各種車両に適用できる。
【符号の説明】
【００２１】
１  ＥＴＣ車載器
３  車両検出器
４  ゲート用アンテナ（ＥＴＣカード未挿入通知アンテナ）
６  ＥＴＣカード
７  シートベルト装置
８  運転席シートベルト
１０  運転席モータ
１２  シートベルト制御手段
１７  運転席シートベルト装着状態検出手段
１９  車速検出手段
２０  音声発生手段
【図１】
2012011945.tif 000003
【図２】
2012011945.tif 000004
【図３】
2012011945.tif 000005